(57)【要約】      （修正有）【課題】銀行のATM室等は、防犯上 壁を丈夫にしたり、或いは丈夫な壁に改造する事が行われている。そこで鉄製の壁を作り、簡単に施工出来るようにしたパネル嵌め込み式の壁の提供。【解決手段】壁面に張る鉄板を分割して、複数個のパネル１を作り、壁面を形成する箇所に、下地となる架台４を取り付け、この架台４にあらかじめ形成した取り付け穴に、パネル１の裏の四隅に設けた取り付け金具２を嵌め込むようにした。【選択図】図８
2008025255.tif 000002
【特許請求の範囲】
【請求項１】
角型のパネルの裏の四隅に、取付け金具（２）を取付け、一方壁の取付け位置に、角型の枠を設置し、枠の中にパネルを敷き詰めた際、パネルの取付け金具の位置に、取付け穴（３）を開けた板状の架台を、上下に複数本、枠の中に取付け、最後にパネルを順次架台に嵌め込んで取付ける事を特徴とする、パネル嵌め込み式壁。
【請求項２】
パネルの底面の一辺を、横に折り曲げて、折り曲げ部（10）を少し出し、更にこれに相対する一辺を、底面より少し切り上げて隙間（11）を作った、角型のパネルの裏の四隅に、取付け金具（２）を取付け、一方壁の取付け位置に、角型の枠を設置し、枠の中にパネルを敷き詰めた際、パネルの取付け金具の位置に、取付け穴（３）を開けた板状の架台を、上下に複数本、枠の中に取付け、最後にパネルを順次架台に嵌め込んで取付ける事を特徴とする、請求項１記載のパネル嵌め込み式壁。
【発明の詳細な説明】
【技術分野】
【０００１】
本発明は、銀行のATM室等に設置する、防犯上 丈夫な壁に関するものである。
【背景技術】
【０００２】
最近銀行のATM室等は、防犯上丈夫な壁を作ったり、或いは丈夫な壁に改造している。丈夫な壁は、先ず材料に鉄を使用する。先ず壁の位置に、鋼材で枠を作り、次に枠に大きな鉄板を溶接していた。この為工事に時間と経費がかかっていた。
そこで本発明は、壁に張る鉄板を、持ち易い大きさに分割して、複数個のパネルを作り、壁になる所に、枠を作って架台を取り付け、架台にパネルを嵌め込むようにした。
【特許文献１】特開平10-025711号公報
【発明の開示】
【発明が解決しようとする課題】
【０００３】
特に、鉄製の壁に改造する場合は、夜間に工事してATMの設置を終わり、翌日から稼動させるので、短時間で工事を終わらせねばならない。
その上室内では機械が使えないので、大きな鉄板を搬入する事や、位置決めして枠に溶接する事は、人手でやらねばならず大変な仕事である。
このような工事は、従来の工法では到底 対応できない。
【課題を解決するための手段】
【０００４】
そこで壁に張る鉄板を分割して、複数個のパネルを作る事にした。
図１〜図３は、そのパネル（１）を示し、鉄板の４辺を裏の方に曲げ、更にその内相対する２辺を内側に曲げている。そしてパネルの裏の四隅に取付け金具（２）を付けている。
取付け金具は、例として図４に示す如く、ボルトとナットで構成している。
【０００５】
次に図５、図６に示す如く、パネルを取付けた時の取付け金具の位置に、取付け穴（３）を開けた板状の架台Ａ（４）を作り、架台Ａを固定面に取付ける。
そこでパネルの取付け金具を、架台の取付け穴に落とし込んで下げれば、図７、図８に示す如く、架台Ａにパネルを取付ける事が出来る。
【発明の効果】
【０００６】
従来丈夫な壁を作るには、大きい鉄板を搬入して、溶接していたが、壁の位置に架台を取付けて、パネルを架台に嵌め込むだけの工事で済むので、大幅な時間の短縮と経費の節約が出来る。
【発明を実施するための最良の形態】
【０００７】
次に本発明、パネル嵌め込み式壁の実施例を説明する。
【実施例１】
【０００８】
先ず請求項１に基づく実施例１を説明する。図12、図13に示す如く山型鋼で作った枠（５）の中に、パネルを取付ける位置に、取付け穴（３）を開けた板状の架台Ａ（４）２本と、架台Ｂ（６）１本を平行に並べて溶接する。そしてこの枠を壁の位置に設置する。
次に架台に図１で示したパネル（１）４枚を、下から順次取付けていくと、図14、図15に示すような鉄板の壁が出来る。最後にパネルの上に、板（７）を取付けてパネルが外れないようにし、枠の内側の隙間の３箇所に、目地（８）を嵌め込むと出来上がる。
【実施例２】
【０００９】
次に請求項２に基づく実施例２を説明する。図９、図10に示すパネルＡ（９）は、図１で示したパネル（１）の下に曲げた一辺を、横に折り曲げて、折り曲げ部（10）を少し出し、更にこれに相対する、下に曲げた一辺を、底面より少し切り上げて隙間（11）を作った物である。従ってこのパネルＡを接続させると、図11に示す如く、パネルＡの下に、横のパネルＡを敷き込むようになる。実施例１では、図1のパネル（１）を使ったのに対して、実施例２では図９のパネルＡ（９）を使っている。
その他は全く同様なので説明を省略するが、パネルＡを使った、パネル嵌め込み式壁は、図16に示すようになる。
【００１０】
壁は、侵入者により破壊される事を想定しなればいけない。パネルは下から嵌め込んで積み上げているので、上の板（７）を外さないと絶対外れないようになっている。その上実施例２では、パネルＡを無理にこじ開けても、容易に壊れない構造になっている。
【００１１】
なおパネルの大きさは持ち易い程度とし、数は現場に合わせて設定すればよい。更に図19に示す如く、パネルを裏表に取付けて、一層丈夫な壁にする事も出来る。又パネルを曲面にし、枠、架台も曲面に作ってこれに取付ければ、曲面の壁を作る事も出来る。
【産業上の利用可能性】
【００１２】
このように本発明のパネル嵌め込み式壁は、従来より工事時間が短く、経費がかからないので、利用の可能性がある。
なおパネルや架台の材料を、樹脂やその他に変えれば、利用可能性が更に広がる事が考えられる。
【図面の簡単な説明】
【００１３】
【図１】本発明 パネルの正面図。
【図２】図１のA―A断面図。
【図３】本発明 パネルの底面図。
【図４】本発明 パネルの取付け金具の詳細図。
【図５】本発明 架台Ａの正面図。
【図６】本発明 架台Ａを固定面に取付けた時の底面図。
【図７】本発明 架台Ａにパネルを取付けた時の正面図。
【図８】本発明 架台Ａを固定面に取付け、これにパネルを取付けた時の底面図。
【図９】本発明 パネルＡの正面図。
【図１０】本発明 パネルＡの底面図。
【図１１】本発明 パネルＡを接合させた時の底面図。
【図１２】本発明 枠に架台を取付けた時の正面図。
【図１３】図12のA―A断面図。
【図１４】本発明 枠の架台にパネルを取付けた実施例１の正面図。
【図１５】図14のA―A断面図。
【図１６】本発明 枠の架台にパネルＡを取付けた実施例２の正面図。
【図１７】本発明 パネルを裏表に取付けた時の断面図。
【符号の説明】
【００１４】
パネル
2  取付け金具
3  取付け穴
4  架台Ａ             
枠                 
6  架台Ｂ
7  板                 
目地  
9  パネルＡ
10  折り曲げ部    
11  隙間
【図１】
2008025255.tif 000003
【図２】
2008025255.tif 000004
【図３】
2008025255.tif 000005
【図４】
2008025255.tif 000006
【図５】
2008025255.tif 000007
【図６】
2008025255.tif 000008
【図７】
2008025255.tif 000009
【図８】
2008025255.tif 000010
【図９】
2008025255.tif 000011
【図１０】
2008025255.tif 000012
【図１１】
2008025255.tif 000013
【図１２】
2008025255.tif 000014
【図１３】
2008025255.tif 000015
【図１４】
2008025255.tif 000016
【図１５】
2008025255.tif 000017
【図１６】
2008025255.tif 000018
【図１７】
2008025255.tif 000019
【手続補正書】
【提出日】平成18年8月3日(2006.8.3)
【手続補正１】
【補正対象書類名】明細書
【補正対象項目名】０００１
【補正方法】変更
【補正の内容】
【０００１】
本発明は、銀行のATM室、及び店舗、オフィスビル等の新築、改修に関して、特に短期工事に対応する、丈夫な壁に関するものである。
【手続補正２】
【補正対象書類名】明細書
【補正対象項目名】００１４
【補正方法】変更
【補正の内容】
【００１４】
１  パネル
２  取付け金具
３  取付け穴
４  架台Ａ
５  枠
６  架台Ｂ
７  板
８  目地
９  パネルＡ
１０  折り曲げ部
１１  隙間